(57)【要約】  本願で開示されるのは、管状のアンカー本体と、アンカー本体に結合されたテーパー状の先端と、アンカー本体を横切って延在するアイレットと、複数の長手方向リブと、を含む穴準備不要アンカーの実施形態である。アンカーの長さ。テーパー状の先端部の材料は、挿入を容易にするためにアンカー本体の材料よりも硬い。アンカーと組み合わせて使用されるアンカー挿入器は、近位端と遠位端との間に延在するカニューレを画定する細長い管状シャフトを含む。複数の歯部は、シャフトの遠位端から遠位に延在している。アンカーは、挿入器の歯部それぞれを受容ように寸法決めされた複数の長手方向に延在するスロットを含む。スロットは、アンカー本体の長さに沿って延在し、遠位先端部の管状シャフトの近位端の中へと続く。さらに、各スロットの周方向の位置は、スロットが周方向に隣接するが、アイレットと交差しないように選択される。
2017536943.tif 000002
【特許請求の範囲】
【請求項１】
アンカーであって、
近位端と、遠位端と、前記近位端と前記遠位端との間に延在する長手方向軸を有する細長いアンカー本体であって、第１の材料から形成されるアンカー本体と、
近位端および遠位端を有し、前記アンカー本体の前記遠位端に連結され、前記第１の材料よりも硬い第２の材料で形成されたテーパー状の先端部と、
前記アンカー本体の長さの少なくとも一部に沿って前記アンカー本体の外面から半径方向外向きに延在する複数の長手方向リブと、
を備えるアンカーであって、
前記複数の長手方向リブの少なくとも１つは、前記アンカー本体の間で、遠位末端に近接する、前記テーパー状の先端部内の位置まで延在しており、
前記先端部の前記近位端の少なくとも一部と前記アンカー本体の前記遠位端は、係合する際に互いに当接し、
前記先端部の近位端と前記アンカー本体の遠位端の断面積は、当接部においてほぼ等しいことを特徴とするアンカー。
【請求項２】
前記第１の材料が、約３６ロックウェルＣ〜約７００ＭＰａブリネルの範囲内で選択される硬度を有する、請求項１に記載のアンカー。
【請求項３】
前記第１の材料が、ポリウレタン、ポリエステル、ポリアミド、フルオロポリマー、ポリオレフィン、ポリイミド、ポリ塩化ビニル（ＰＥ）、ポリエチレングリコール（ＰＥＧ）、ポリスチレン（ＰＳ）、ポリメチルメタクリレート（ＰＭＭＡ）、ポリグリコール酸（ＰＧＡ）、ポリ乳酸（ＰＬＡ）、ポリテトラフルオロエチレン（ＰＴＦＥ）、ポリエーテルエーテルケトン（ＰＥＥＫ）から成る群から選択される、請求項１に記載のアンカー。
【請求項４】
前記第２の材料が、約４０ショアＤ〜約８５ショアＤの範囲内で選択された硬度を有する、請求項１に記載のアンカー。
【請求項５】
前記第２の材料が、ステンレス鋼、チタン、チタン合金、コバルト−クロム合金、白金合金、パラジウム合金、炭素強化ポリエーテルエーテルケトン（ＰＥＥＫ）およびガラス強化ＰＥＥＫから成る群から選択される、請求項１に記載のアンカー。
【請求項６】
前記長手方向軸に対して直角に、前記アンカー本体を通って延在する、縫合糸を受け入れるように寸法決めされたアイレットをさらに備える、請求項１に記載のアンカー。
【請求項７】
前記複数の長手方向リブは、前記アイレットと軸方向に整列していない、請求項６に記載のアンカー。
【請求項８】
前記アイレットから前記アンカー本体の前記近位端まで近位に延在する一対の長手方向チャネルをさらに備える、請求項６に記載のアンカー。
【請求項９】
前記アイレット内に配置された縫合糸をさらに備え、前記アイレットの外側に１つ以上の縫合糸肢が延在しており、前記縫合糸肢の少なくとも１つが前記一対のチャネルのうちの１つの中に配置される、請求項８に記載のアンカー。
【請求項１０】
前記複数の長手方向リブそれぞれの周囲に形成された複数の鋸歯をさらに備える、請求項１に記載のアンカー。
【請求項１１】
前記一対の長手方向チャネルは、前記アンカー本体の対向する両側に存在する、請求項８に記載のアンカー。
【請求項１２】
前記アンカー本体の前記近位端は、前記複数の長手方向リブの近位端に対して近位に配置された１つ以上の周方向リブを備える、請求項１に記載のアンカー。
【請求項１３】
前記複数の周方向リブの少なくとも１つの最外径が、前記複数の長手方向リブの最外側の半径方向範囲以上である、請求項１２に記載のアンカー。
【請求項１４】
前記複数の長手方向リブそれぞれの高さの、前記複数の長手方向リブそれぞれの幅に対する比が約１：４〜約２０：１である、請求項１に記載のアンカー。
【請求項１５】
前記複数の長手方向リブの間の間隔の離間角度は、約７度〜約６０度である、請求項１に記載のアンカー。
【請求項１６】
長手方向軸に沿って近位端と遠位端との間に延在する管状のアンカー本体と、前記長手方向軸に対して直角に、アンカー本体を通って延在し、かつ、アンカー本体カニューレと連通し、縫合糸を受容するように寸法決めされたアイレットと、を備えるアンカーと、
前記アンカー本体の遠位端に係合するテーパー状のアンカー先端部であって、前記アンカー本体は、第１の材料から形成され、前記アンカー先端部が第１の材料よりも硬い第２の材料から形成される、アンカー先端部と、
長手方向の複数のスロットであって、前記複数のスロットそれぞれは、前記アンカー本体カニューレの表面に形成された第１部分と前記アンカー先端部内に延在する第２部分とを有し、前記複数のスロットは前記アイレットと交差しない、長手方向の複数のスロットと、
近位端と遠位端との間に延在する細長い挿入器シャフトと、前記挿入器シャフトの遠位端から延在する複数の歯部であって、前記複数の歯部それぞれが、前記アンカーの前記複数のスロットの対応するスロットの中に受容されるように寸法決めされた複数の歯部と、を備えるアンカー挿入器と、
を備えるアンカーシステムであって、
前記複数の歯部それぞれの長さは、前記歯部が前記スロット内に挿入された際に、前記歯部は、遠位先端部が前記アンカー挿入器と接触するように前記アンカー本体と前記アンカー先端部との間に延在するように寸法決めされ、また、前記歯部は、前記アイレットの変形を抑制するために、前記アイレットの長手方向の範囲を越えて遠位および近位に延在することを特徴とするアンカーシステム。
【請求項１７】
前記アンカーは、前記アンカー本体の外面から半径方向外側に延在する周方向に間隔を置いて配置された複数のリブをさらに備え、前記複数のリブそれぞれは、前記アンカー本体の長さの少なくとも一部分に沿って長手方向にさらに延在し、前記複数のリブのうちの少なくとも１つは、前記アンカー本体の間で、遠位末端に近接する、前記遠位先端部内の位置まで延在する、請求項１６に記載のアンカーシステム。
【請求項１８】
前記アンカー挿入器は、
前記挿入器シャフト内に形成されたカニューレと、
前記カニューレ内に配置されたロッドであって、前記挿入器シャフトに対して軸方向に移動可能なロッドと、
前記アンカー挿入器のカニューレ内に配置された概して細長いプラグであって、前記プラグは、さらに、前記アンカー本体カニューレ内に受容されるように寸法決めされている、プラグと、
をさらに備える、請求項１６はアンカーシステム。
【請求項１９】
前記アンカー挿入器の前記ロッドが、前記アンカー本体と係合している間、前記ロッドの遠位への前進が、前記挿入器シャフトのカニューレから前記アンカー本体カニューレに前記プラグを促す、請求項１８に記載のアンカーシステム。
【請求項２０】
前記アイレット内に引き回された縫合糸をさらに備え、前記アンカー本体カニューレ内への前記プラグの遠位への前進により、前記縫合糸を前記アンカー先端部の近位端と前記プラグの遠位端との間で圧縮することによって前記縫合糸が前記アンカー本体に固定される、請求項１９に記載のアンカーシステム。
【発明の詳細な説明】
【技術分野】
【０００１】
アンカーは、患者の解剖学的構造の所望の位置に縫合糸を固定するために、外科手術において一般的に使用される。
【背景技術】
【０００２】
例えば、アンカーが所望の位置の組織内に挿入され、アンカーと周囲組織との間の摩擦摺動抵抗が縫合糸アンカーの動きを阻害し、アンカーを定位置に固定する。  摩擦摺動抵抗は、組織がアンカーの表面に及ぼした垂直抗力（すなわち、残留圧縮）と、骨が垂直抗力を及ぼす接触領域と、によって主に決定される。したがって、通常、組織内に挿入されたアンカーの固定強度、組織から縫合糸アンカーを除去するための引き抜き力の尺度は、垂直抗力および接触面積の増加と共に増加する。
【０００３】
アンカーの堆積の前に穴を形成することなく、一般に「穴準備不要」アンカーと呼ばれる１つのクラスのアンカーが組織内に堆積される。現在開発されているアンカーには、組織を穿刺し、「ポンドイン有刺式（pound-in barbed)」アンカーまたは「スクリューインスレッド(screw-in threaded)」アンカーの挿入を可能にするのに十分な大きさの穴が開けられる。いずれの場合においても、アンカーによって除去された組織の断面積は、通常、アンカーの断面積より大きく、アンカーの外面と周囲の組織との間に隙間が生じる。これらの隙間は、アンカーと組織との間の摩擦接触の量を低減し、アンカーによって提供される固定強度を低下させる。
【０００４】
加えて、近年、外科医は、外科的再建手術においてより小さなアンカーの使用へ動向している。より小さなアンカーの使用は、侵襲性が低く、より迅速な患者の治癒を可能にする。しかし、より小さなアンカーの使用者では、周囲の骨との摩擦係合に利用可能な表面積がより少ない。したがって、小さなアンカーではより低い固定強度が観察される。特定の再建手術では、固定強度が許容できないほど低いレベルに低下し、比較的小さなアンカーを使用する固定システムの安定性が損なわれる可能性がある。
【先行技術文献】
【特許文献】
【０００５】
【特許文献１】米国特許出願第１４／５６７４００号
【発明の概要】
【発明が解決しようとする課題】
【０００６】
本願で説明されているのは、改善された固定強度を有する穴準備不要アンカーである。
【課題を解決するための手段】
【０００７】
アンカーは、管状のアンカー本体と、アンカー本体に結合されたテーパー状の先端部と、アンカーを貫通して直角に延在するアイレットと、アンカー長さの少なくとも一部分に沿って延在する複数の縦リブとを含む。１つ以上のリブは、遠位先端で終端するためにアンカー本体からさらに延在する。この構成では、縫合糸アンカーを骨に挿入すると、アンカーはアンカーの直前で骨材料を変位させ、有利に、リブの横に隣接して骨を保存する。その結果、アンカーと骨との間の接触面積および付随する摩擦摺動抵抗が、既存のアンカーと比較して増加し、アンカーによって骨に与えられる固定強度を増加させる。遠位先端部は、組織にパイロット穴を形成することなく、骨などの硬組織内にアンカーを挿入するようにさらに適合される。例えば、アンカー本体および遠位先端部は、異なる材料から形成される。有利には、遠位先端の材料は、挿入を容易にするためにアンカー本体の材料よりも硬い。
【０００８】
また、本願では、骨へのアンカーの挿入を容易にするためにアンカーと組み合わせて使用するためのアンカー挿入器が説明されている。アンカー挿入器は、近位端と遠位端との間に延在するカニューレを画定する細長い管状シャフトを含む。複数の歯部は、シャフトの遠位端から遠位に延在している。アンカーは、挿入器の歯部それぞれを受け入れるように寸法決めされた長手方向に延在する複数のスロットを含む。スロットは、アンカー本体の長さに沿って延在し、遠位先端部の管状シャフトの近位端の中へと続く。各スロットの周方向の位置は、スロットが周方向に隣接するが、アイレットと交差しないようにさらに選択される。
【０００９】
使用時には、縫合糸がアイレットを通って送られ、自由な縫合糸肢がアイレットから側方向に延在する。挿入器のシャフトの遠位端は、歯部がスロットに挿入された状態でアンカー本体カニューレ内に配置され、歯部の遠位端が先端の近位端に接触するまで遠位に進められる。したがって、歯部の長さは、そのように配置され、歯部がアイレットに近接して周方向に配置されるように十分な長さであり、縫合糸が挿入器の歯部による妨害または衝突なしにアイレットを通ることを可能にする。次いで、アンカーは、遠位先端部から最初に骨に挿入される。アンカーが患者の解剖学的構造内の適所に配置されると、縫合糸はアンカーに固定される。結び目のない実施形態では、挿入器は、シャフトカニューレ内に配置されたプラグをさらに含むことができる。挿入器がアンカーと係合されると、プラグは、プラグの遠位端と遠位先端部の近位端との間の適所に縫合糸が固定されるまで（例えば、挿入器カニューレ内に配置されたロッドによって）アンカー本体カニューレに移動可能である。別の実施形態では、アンカーは、縫合糸との結び目のある係合に適合され得る。
【００１０】
アンカーの遠位先端部とアンカー挿入器の遠位端との間の係合は、多くの利益をもたらす。一態様では、挿入器の歯部は、アイレットの長手方向の範囲を超えて遠位および近位に延在し、患者の解剖学的構造内にアンカーを配置している間、アイレットの機械的補強をもたらす。別の態様では、挿入器シャフトとアンカー先端部との間に、この物理的接続による力とモーメントの結合が形成される。その結果、アンカーを打つ間に生じる機械的負荷が、挿入器から直接金属先端に伝達され、アンカーの比較的弱いプラスチック部分によってもたらされる挿入荷重が低減される。これにより、さらに極端な迎え角で、はるかに硬いメディアに挿入できる、より頑強なアンカーシステムが作成されます。
【００１１】
開示されたアンカーの実施形態は、縫合糸アンカーの長さの少なくとも一部分に沿って長手方向に延在する、側方向に突出するリブを含む。さらなる実施形態では、リブそれぞれの先導する遠位縁部は、テーパー状の「ナイフエッジ状」の形状を有し、有利には、アンカーの遠位端を骨内に打ち込むことができる。さらに、リブは、アンカーのほぼ全長に沿ってリブと周囲の骨との間の接触を維持しながら、掘り出し影響を緩和することができる。さらに、このようなリブは、表面積を増大させ、固定強度を改善する。他の実施形態は、周方向リブ、羽根などの、複数のリブの近位に側方向に突出した他の複数の特徴部を含む。このようにして、突出した特徴部は、リブに近接する骨材料を取り除くことなしに、アンカーによって達成される固定にさらに寄与し得る。
【００１２】
一実施形態では、本願のアンカーは、近位端と、遠位端と、近位端と遠位端との間に延在する長手方向軸を有する細長いアンカー本体を含み、アンカー本体は、第１の材料から形成され、テーパー状の先端部は、近位端及び遠位端を有し、先端部はアンカー本体の遠位端に結合され、先端部は、第１の材料よりも硬い第２の材料から形成され、複数の長手方向リブは、アンカー本体の長さの少なくとも一部分に沿ってアンカー本体の外面から半径方向外向きに延在している。複数の長手方向リブの少なくとも１つは、アンカー本体の間で、遠位末端の近位にある、テーパー状の先端部内の所定位置まで延在している。
【００１３】
係合したとき、先端部の近位端の少なくとも一部分とアンカー本体の遠位端とは、互いに当接する。先端部の近位端とアンカー本体の遠位端の断面積は、当接部においてほぼ等しい。
【００１４】
アンカーの実施形態は、以下の１つ以上を任意の組み合わせで含み得る。一実施形態では、第１の材料は、約３６ロックウェルＣ〜約７００ＭＰａブリネルの範囲内で選択された硬度を有する。第１の材料は、ポリウレタン、ポリエステル、ポリアミド、フルオロポリマー、ポリオレフィン、ポリイミド、ポリ塩化ビニル（ＰＥ）、ポリエチレングリコール（ＰＥＧ）、ポリスチレン（ＰＳ）、ポリメチルメタクリレート（ＰＭＭＡ）、ポリグリコール酸（ＰＧＡ）、ポリ乳酸（ＰＬＡ）、ポリテトラフルオロエチレン（ＰＴＦＥ）、ポリエーテルエーテルケトン（ＰＥＥＫ）から成る群から選択される。第２の材料は、約４０ショアＤ〜約８５ショアＤの範囲内で選択される硬度を有する。第２の材料は、ステンレス鋼、チタン、チタン合金、コバルト−クロム合金、白金合金、パラジウム合金、炭素強化ポリエーテルエーテルケトン（ＰＥＥＫ）、および、ガラス強化ＰＥＥＫからなる群から選択される。縫合糸アンカーは、長手方向軸に対して直角ぬアンカー本体を通って延在するアイレットをさらに含む。複数の長手方向リブは、アイレットと軸方向に整列していない。アンカーは、アイレットからアンカー本体の近位端まで近位に延在する一対の長手方向チャネルをさらに含む。アンカーは、アイレット内に配置された縫合糸をさらに含み、１つ以上の縫合糸肢がアイレットの外側に延び、少なくとも１つの縫合糸肢が一対のチャネルのうちの１つの中に配置される。
【００１５】
アンカーは、複数の長手方向リブそれぞれの周囲に形成された複数の鋸歯をさらに含む。一対の長手方向チャネルは、アンカー本体の対向する両側に存在する。アンカー本体の近位端は、複数の長手方向リブの近位端に対して近位に配置された１つ以上の周方向リブを含む。複数の周方向リブの少なくとも１つの最外径は、複数の長手方向リブの最も外側の半径方向範囲よりも大きいか等しい。複数の長手方向リブそれぞれの高さの、複数の長手方向リブそれぞれの幅に対する比は、約１：４〜約２０：１である。複数の長手方向リブ間の間隔の離間角度は、約７度〜約６０度である。
【００１６】
別の実施形態では、アンカーシステムが提供される。アンカーシステムは、長手方向軸に沿って近位端と遠位端との間に延在する管状アンカー本体を有するアンカーと、長手方向軸に対して直角にアンカー本体を貫通して延在するアイレットであって、アイレットは、アンカー本体カニューレと連通し、縫合糸を受容するように寸法決めされた、アイレットと、アンカー本体の遠位端に係合するテーパー状のアンカー先端部と、複数の長手方向スロットであって、各スロットは、アンカー本体カニューレの表面に形成された第１の部分およびアンカー内に延在する第２の部分複数のスロットはアイレットと交差しない、複数の長手方向スロットと、を含む。アンカー本体は、第１の材料から形成され、アンカー先端は、第１の材料よりも硬い第２の材料から形成される。アンカーシステムはまた、近位端と遠位端との間に延在する細長い挿入器シャフトと挿入器シャフトの遠位端から延在する複数の歯部とを有するアンカー挿入器を含み、各歯部は、縫合糸アンカーの複数のスロットの対応するスロット内に収容されるように寸法決めされる。複数の歯部それぞれの長さは、歯部がスロット内に挿入されたときに、歯部がアンカー本体とアンカー先端部との間に延在して遠位先端部とアンカー挿入器とを接触させるような寸法にされる。歯部は、アイレットの変形を抑制するために、アイレットの長手方向の範囲を超えて遠位および近位に延在する。
【００１７】
アンカーシステムの実施形態は、以下の１つ以上を任意の組み合わせで含み得る。一実施形態では、アンカーシステムは、アンカーの外面から半径方向外向きに延在する複数の周方向に離間したリブをさらに備える。複数のリブそれぞれは、アンカー本体の長さの少なくとも一部に沿って長手方向に延在する。複数のリブの少なくとも１つは、アンカー本体の間で、遠位末端に近接する、遠位先端部内の位置まで延在している。アンカー挿入器は、挿入器シャフト内に形成されたカニューレと、カニューレ内に配置されたロッドであって、インサートシャフトに対して軸方向に移動可能なロッドと、挿入器カニューレ内に配置された概して細長いプラグであって、アンカー本体カニューレ内に受容されるようにさらに寸法決めさられたプラグと、をさらに含む。アンカー挿入器ロッドとアンカーとの係合中、ロッドの遠位への前進により、プラグは挿入器シャフトカニューレからアンカー本体カニューレに促される。アンカーシステムは、アイレット内に引き回された縫合糸をさらに含み、アンカー本体カニューレ内へのプラグの遠位への前進は、アンカー先端の近位端とプラグの遠位端との間の縫合糸の圧縮によって縫合糸をアンカーに固定する。
【００１８】
上記および他の目的、特徴および利点は、添付の図面に示されるように、実施形態の以下のより詳細な説明から明らかになるであろう。
【図面の簡単な説明】
【００１９】
【図１Ａ】骨に挿入された周方向リブだけを含む従来のアンカーの概略図であり、周囲の骨材料の掘り出しを示す図である。
【図１Ｂ】骨に挿入された周方向リブだけを含む従来のアンカーの概略図であり、周囲の骨材料の掘り出しを示す図である。
【図２Ａ】長手方向リブおよび近位の周方向リブを含む、本願のアンカーの実施形態の概略図である。
【図２Ｂ】長手方向リブおよび近位の周方向リブを含む、本願のアンカーの実施形態の概略図である。
【図３】先端部がアンカー本体から別個の材料で形成されている、アンカーの実施形態の概略図である。
【図４】長手方向のリブおよび近位の翼部を含むアンカーの実施形態の概略図である。
【図５】縫合糸アンカーと共に使用するためのアンカー挿入器の一実施形態を示す図である。
【図６Ａ】図５のアンカー挿入器の遠位先端の外面斜視図である。
【図６Ｂ】図５のアンカー挿入器の遠位先端の切り欠き斜視図である。
【図７Ａ】図３のアンカー内に挿入された図５のアンカー挿入器の概略的な端面側面図である。
【図７Ｂ】図３のアンカー内に挿入された図５のアンカー挿入器の概略的な端面側面図である。
【図８】図３のアンカー内に挿入された図５のアンカー挿入器の概略的な図であり、近位端面図である。
【図９Ａ】アンカーの実施形態の切欠き斜視図での概略図である。
【図９Ｂ】アンカーの実施形態の切欠き斜視図での概略図である。
【図１０Ａ】本願の縫合糸スレッダーアセンブリの実施形態の側面概略図である。
【図１０Ｂ】本願の縫合糸スレッダーアセンブリの実施形態の斜視概略図である。
【図１０Ｃ】本願の縫合糸スレッダーアセンブリの実施形態の切り欠き上面概略図である。
【図１０Ｄ】本願の縫合糸スレッダーアセンブリの実施形態の切り欠き上面概略図である。
【発明を実施するための形態】
【００２０】
本願のアンカーおよびアンカー挿入器の例を、図面を参照して説明する。
【００２１】
以下の説明において、同様の構成要素は、異なる実施例に示されているかどうかにかかわらず、同じ参照番号が与えられている。例を明瞭かつ簡潔に示すために、図面は必ずしも一定の縮尺でなくてもよく、ある特徴は幾分概略的な形で示され得る。１つの実施例に関して記載および／または例示された特徴は、１つまたは複数の他の実施例においておよび／または他の実施例の特徴と組み合わせて、またはその代わりに、同じ方法または類似の方法で使用され得る。
【００２２】
備える、含む、および／または各複数形は、限定せず、列挙された部分を含み、列挙されていない追加の部分を含み得る。および／またはは、限定せず、１つまたは複数の記載された部品とリストされた部品の組み合わせとを含む。
【００２３】
図１Ａ〜１Ｂを参照すると、従来の縫合糸アンカー１００が示されている。典型的には、固定強度を高めるために、突出特徴部（例えば、周方向リブ１０２）が縫合糸アンカー１００の長さに沿って、挿入する際の縫合糸アンカー１００と骨１０４を、摩擦係合を高めるために足される。しかしながら、骨１０４の多孔質構造、特に外側の皮質骨層１０４Ａの下に位置するより柔らかい海綿骨１０４Ｂにより、アンカー１００の挿入時に、海綿骨１０４Ｂは、アンカー１００に適合するように弾性的に（すなわち可逆的に）変形しない。代わりに、突出特徴部１０２は、その挿入経路に沿って骨材料を除去し、アンカー本体と周囲の骨との間のこれらの掘り跡に空隙１０６を作り出し、これは「掘り出し」影響と称される。結果として、骨１０４と接触する骨材料の量は、縫合糸アンカー１００の表面全体ではなく、縫合糸アンカー１００の外周における特定の接触点１１０に限定される。したがって、縫合糸アンカー１００は、特に小さくしたアンカーのサイズでは、所望のレベルの固定を達成することができない。
【００２４】
ここで、本願の縫合糸アンカー２００、２５０の実施形態を示す図２Ａ〜図２Ｂを参照する。
【００２５】
第１の縫合糸アンカーの実施形態２００が図２Ａに示されている。  縫合糸アンカー２００は、長手方向軸２０４に沿って遠位端２０２Ａから近位端２０２Ｂに延在する概して細長いアンカー本体２０２を含む。アンカー本体２０２は、以下でより詳細に説明するように、遠位アンカー本体部分２０８Ａおよび近位アンカー本体部分２０８Ｂをさらに含む。アンカー２００の近位端２０２Ｂは、近位アンカー本体部分２０８Ｂ内に配置され、骨にアンカー２００を位置決めして挿入するための器具と係合するように適合される。例えば、ある実施形態は、近位端２０２Ｂは、以下にさらに説明するように、挿入器具の一部を受け入れるための１つ以上の開口部を含むことができる。他の実施形態（図示せず）では、近位端２０２Ｂは、挿入器ツール内に挿入するように適合され得る。
【００２６】
アンカー本体２０２の遠位端２０２Ａは、遠位アンカー本体部分２０８Ａ内に配置され、骨に挿入するようにさらに適合される。例えば、図２Ａに示すように、アンカー本体２０２の遠位端２０２Ａは、テーパー状の遠位部分２０６を含む。ある実施形態は、テーパー部２０６の長さは、遠位部分２０６の全長の約１０％〜約３０％である。他の実施形態では、テーパー部は、より長いアンカー本体の長さに沿って、全長まで延在し得る。さらなる実施形態では、アンカー本体２０２のテーパー状の遠位部分２０６は、選択された幾何形状で終端することができる。例としては、（例えば、長手方向軸にほぼ垂直に延在する）概して平坦な先端、丸い先端、尖った先端、および、これらの間の構成が挙げられるが、これらに限定されない。
【００２７】
アンカー本体２０２は、縫合糸アイレット２１４をさらに含む。アイレット２１４は、アンカー本体２０２を通って、長手方向軸２０４に対して直角に延在し、縫合糸を受容するように寸法決めされる。例えば、アンカー本体の外面に隣接して延在する自由肢を有する縫合糸（図示せず）をアイレットに通してもよい。図示されていない別の実施形態では、アイレットは、それに縫合糸を固定するためのバー、ブリッジまたは他の突起を含むことができる。縫合糸は、アンカー本体内の長手方向通路を通って近位端からアイレットまで延び、バーまたは突起に固定され得る。
【００２８】
さらなる実施形態では、アンカー２００は、アンカー本体２０２の表面上に形成された複数のチャネル２１６を含む。例えば、図２Ａに示すように、アンカー２００の対向する両側に一対のチャネル２１６が存在し、アイレット２１４を通る縫合糸の自由肢は、チャネル２１６内に配置される。しかしながら、別の実施形態では、チャネルは、アンカーから省略されてもよいことが理解されよう。
【００２９】
縫合糸アンカー２００はさらに、アンカー本体２０２から半径方向外側に延び、アンカー本体２０２の周りに周方向に間隔を置いて配置された複数の長手方向リブ２１０を含む。複数の長手方向リブ２１０それぞれは、アンカー本体２０２の長さの少なくとも一部に沿って延び、例えば、図２Ａに示すように、長手方向リブ２１０は、アンカー本体の遠位部分２０８Ａの近位端辺りからテーパー状の遠位端２０６内に延在する。しかしながら、別の実施形態では、長手方向リブ２１０の近位端は、アンカー本体の遠位部分２０８Ａ内のテーパー状の遠位端２０６の近位にある任意の位置に配置され得ることが理解されよう。長手方向リブ２１０は、テーパー状の遠位端２０６内の任意の位置で終端し得る。さらに、所与の周方向における長手方向リブ２１０それぞれが、単一の部材から形成されているように図示されているが、別の実施形態では、所与の長手方向リブ２１０は、複数の別個のセグメントにおいて形成され得る。
【００３０】
図２Ａにさらに示されるように、長手方向リブ２１０は、長手方向軸２０４に対してほぼ平行に延在している。しかしながら、別の実施形態では、長手方向リブ２１０の少なくとも一部分は、長手方向軸２０４に対して選択された角度で延在し得る。この開示によって、長手方向リブ２１０の遠位端は、アンカー本体のテーパー角度よりも大きな角度でテーパー状にされてもよいことが企図される。例えば、リブのテーパー角度は、約２５度〜約４５度の範囲内で選択することができ、アンカー本体のテーパー角度は、約５度〜約２５度の範囲内で選択することができる。長手方向リブ２１０のテーパー部分の前縁（例えば、遠位に面する端部）は、側方テーパー面を含むことができる。「ナイフエッジ状」構成とも称されるこの側方テーパー部は、骨と接触する長手方向リブ２１０それぞれの表面積を徐々に増加させることによって、長手方向リブ２１０の骨への挿入を容易にするのに役立つ。その結果、アンカー２００を取り囲む構造的に無傷の骨は、挿入されたアンカー２００の表面に対してより大きい反作用力を生み得る。この大きな反作用力は、増加した接触圧力につながり、アンカー固定強度が増大する。高いテーパー状のリブを有する縫合糸アンカーの他の実施形態は、その全体が参照によって本願に組み込まれている「Ｓｕｔｕｒｅ  ａｎｃｈｏｒ  Ｈａｖｉｎｇ  Ｉｍｐｒｏｖｅｄ  Ｆｉｘａｔｉｏｎ  Ｓｔｒｅｎｇｔｈ」（Ａｔｔｙ。Ｒｅｆ。ＳＮ−０９４ＵＳ）と題されるべいこくとっきょしゅつがんだい１４／５６７、４００ごう特許文献１においてより詳細に説明される。
【００３１】
長手方向リブ２１０それぞれの高さは、長手方向リブ２１０がアンカー本体２０２を越えて延在する半径方向の距離によって定義される。長手方向リブ２１０それぞれの幅は、長手方向リブ２１０それぞれの側面間の平均距離によって与えられる。ある実施形態は、リブの高さ対リブの幅の比（すなわち、リブのアスペクト比）は、約１：４〜約２０：１の範囲内で選択される。さらなる実施形態では、アンカーコアの直径対リブの高さは、約１：２〜約１：１０の範囲内で選択される。長手方向リブ２１０の周方向の間隔は変化させることができる。例えば、長手方向リブ２１０それぞれの中心線は、リブの幅に沿った中心点として取られる。リブの間隔は、隣接する中間線の間の角度によって定義される。ある実施形態は、離間角度は、約７度〜約６０度の間で選択される。
【００３２】
図２Ａに示すように、アンカー本体２０２の近位部分２０８Ｂは、複数の周方向リブ２１２をさらに含み得る。周方向リブ２１２それぞれは、対応する長軸方向の位置でアンカー本体２０２の円周の少なくとも一部の周りに延在する。一実施形態では、複数の周方向リブ２１２の最も外側の直径は、長手方向リブ２１０の最も外側の半径方向範囲とほぼ等しいかそれ以上である。
【００３３】
図２Ｂに示されている別の実施形態では、アンカー２５０が提供される。アンカー２５０の遠位部分２０８Ａは、図２Ａのアンカー２００と同じである。しかしながら、アンカー２５０の近位部分２０８Ｂは、複数の周方向リブ２１２それぞれの周囲に形成された複数の鋸歯２５２をさらに含む（明確化のためにアンカー２５０の文脈ではリブ２１２’と称する）。ある実施形態では、セレーションは鋸歯状セレーションであるが、他のセレーションも無制限に使用し得る。鋸歯２５２は、リブ２１２と比較してリブ２１２’の表面積を増大させ、アンカーの挿入時のアンカーの骨への固定をさらに強化する。
【００３４】
使用時には、図２Ａおよび図２Ｂのアンカー２００、２５０の遠位アンカー本体部分２０８Ａが骨内に前進する間、隣接する骨材料の大部分が保存される。例えば、遠位端２０６のテーパー部分のために、アンカー２００、２５０の挿入は、アンカー２００、２５０のより大きな断面を徐々に露出させ、骨への挿入力を最小にし、骨の完全性を保持する。テーパー部２０６の近位のアンカー２００、２５０の遠位部分２０８Ａの継続的な前進により、長手方向のリブ２１０を骨に完全に挿入する。長手方向軸２０４にほぼ平行な長手方向リブ２１０の配向により、アンカー２００、２５０の挿入の間にアンカー２００、２５０の直前にあるものを除いて、長手方向リブ２１０に隣接する比較的小さな骨材料が取り除かれる。したがって、リブ２１０の表面積の大部分は骨と接触している。さらに、リブ２１０の比較的高いアスペクト比は、リブが存在しない場合にアンカー本体２０２によって得られるより大きな表面積を提供し、骨との摩擦接触およびアンカーの固定を強化する。
【００３５】
アンカー２００、２５０の近位部分２０８Ｂが骨内にさらに前進するにつれて、周方向リブ２１２も骨に係合する。周方向リブ２１２は、掘り跡にいくらかの材料を掘り出すが、それらの円周端部は依然として骨との係合を維持し、アンカー固定を強化する。例えば、アンカー２００、２５０が近位方向の力を受けると、周方向リブ２１２の先端が周囲の骨と係合し、アンカー２００、２５０の近位側への引っ込みを物理的に阻止する。したがって、長手方向リブ２１０と周方向リブ２１２は、いずれか単独の使用と比較して強化された固定を提供する。
【００３６】
図３において、縫合糸アンカー３００は、アンカー３００の長手方向軸３０６に沿って配置されたアンカー本体３０２および先端部３０４を含む。縫合糸アンカー本体３０２は、概して細長く、遠位端３０２Ａと近位端３０２Ｂとの間の長手方向軸３０６に沿って延在する。ある実施形態は、アンカー本体３０２は、円形または楕円形の断面を有する管状である。別の実施形態では、アンカー本体の断面は、異なる閉鎖形状を採用することができる。カニューレ３１６は、アンカー本体３０２の近位端３０２Ｂから遠位端３０２Ａまで延在している（すなわち、アンカー本体３０２は完全にカニューレ挿入されている）。図３では、アイレット３１０は、アンカー本体３０２を通って、長手方向軸３０６に対して直角に形成されているように示されている。しかしながら、アイレット３１０が先端部３０４を通って形成されてもよいことが本願によって企図される。アンカー本体３０２の遠位端３０２Ａに、より詳細に後述するように、固定される。先端部３０４は、概して細長く、テーパー状であり、先端部の近位端３０４Ｂから先端部の遠位端３０４Ａまで断面積が減少する。先端部３０４のテーパー角度および長さは、先端部の近位端３０４Ｂの断面積がアンカー本体の遠位端３０２Ａの断面積とほぼ等しくなるように選択される。したがって、アンカー本体全体の断面積は、アンカー本体３０２と遠位先端部３０４との間の当接点（例えば、アンカー本体３０２の遠位端３０２Ａおよび先端部）。
【００３７】
図３において、アンカー３００は、アンカー本体３０２から外側に延在して骨に係合する複数の特徴部をさらに含む。例えば、骨係合特徴部は、複数のリブ３１２がアンカー３００の外面上に形成され、互いに周方向に離間し、そこから半径方向外側に延在する。複数のリブ３１２は、アンカー３００の長さの少なくとも一部分に沿って長手方向に延在する。図３にさらに示すように、リブ３１２は、アンカー本体３０２の近位端３０２Ｂの周りに延在し、テーパー状の遠位先端部３０４内で終端する。
【００３８】
図３では、アンカー本体３０２は、先端部３０４を形成する第２の材料とは異なる第１の材料からさらに形成されている。第１の材料の例は、ポリウレタン、ポリエステル、ポリアミド、フルオロポリマー、ポリオレフィン、ポリエチレングリコール（ＰＥＧ）、ポリスチレン（ＰＳ）、ポリメチルメタクリレート（ＰＭＭＡ）、ポリグリコール酸（ＰＧＡ）、ポリ乳酸（ＰＬＡ）、ポリテトラフルオロエチレン（ＰＴＦＥ）、ポリエーテルエーテルケトン  ピーク）を含み得るが、限定はされない。さらなる実施形態では、アンカー本体３０２は、約３６ロックウェルＣ〜約７００ＭＰＡブリネルの範囲内の硬度を有する任意の材料から形成される。
【００３９】
使用中、アンカー３００を骨の中に挿入する際の骨の移動を容易にするために、先端部３０４の実施形態は、第１の材料とは異なる第２の材料から形成される。第２の材料は、第１の材料よりも硬く、先端部３０４が硬質外皮層と下層海綿骨との両方を含むアンカー３００によって占有される骨量の大部分を移動させられるという事実を反映する（図１Ａおよび図１Ｂ参照）。例えば、先端部３０４は、約４０ショアＤ〜約８５ショアＤの範囲内の硬度を有する材料から形成される。さらなる実施形態では、第２の材料の例としては、限定されないが、ステンレス鋼、チタン、チタン合金、コバルト−クロム合金、白金合金、およびパラジウム合金、炭素強化ポリエーテルエーテルケトン（ＰＥＥＫ）、およびガラス強化ＰＥＥＫを含む。
【００４０】
次に、アンカー４００の別の実施形態を概略的に示す図４を参照する。縫合糸アンカー４００は、長手方向軸４０４に沿って遠位端４０２Ａから近位端４０２Ｂに延在する概して細長いアンカー本体４０２を含む。以下でさらに説明するように、アンカー４００の近位端４０２Ｂは、位置決めおよび骨への挿入のためのツールと係合するように適合されている。さらに、アンカー本体４０２の遠位端４０２Ａは、骨に挿入するように適合されている。例えば、アンカー本体４０２の遠位端４０２Ａは、テーパー部４０６を含む。アンカー本体４０２は、縫合糸アイレット４１４をさらに含む。アイレット４１４は、アンカー本体４０２を通って、長手方向軸４０４に対して直角に延在し、縫合糸を受容するように寸法決めされている。さらなる実施形態では、アンカー４００は、アンカー本体４０２の表面に形成された複数のチャネル４１６を含む。また、アンカー４００は、アンカー本体４０２から半径方向外側に延在し、アンカー本体４０２の周りに周方向に間隔を置いて配置された複数の長手方向リブ４１０を含む。
【００４１】
アンカー４００はさらに、遠位端と近位端との間に延在する複数の翼部４１２を含む。複数の翼部４１２それぞれの近位端は、アンカー本体４０２の近位端４０２Ｂに隣接して配置される。翼部４１２は、複数のチャネル４１６と交差しないように周方向に配置される。翼部は、各翼部４１２がアンカー本体４０２に当接する閉鎖位置と、各翼部４１２がアンカー本体４０２から外向きに延在する開放位置との間を移動する。例えば、複数の翼部４１２それぞれの遠位端は、一実施形態では、翼部４１２は、アンカー本体４０２と一体的に形成され、弾性変形および／または塑性変形（すなわち、一体蝶番）によってアンカー本体４０２に対して枢動する。別の実施形態では、翼部４１２は、アンカー本体４０２とは別個に形成され、ピンピボットを中心とする回転によってアンカー本体４０２に対して枢動する。翼部４１２の周方向の間隔は、必要に応じて変更することができる。例えば、各翼部４１２の中心線は翼部の幅に沿った中心点として取ることができる。例えば、一対の翼部は１８０度の角度で離間されていてもよい。
【００４２】
使用中、骨へのアンカー４００の前進中、リブ４１０に隣接する骨材料は、大部分が保存される。複数の翼部４１２が掘り跡にある材料を掘り出す間、それらの円周端部は依然として骨との係合を維持し、翼部４１２によってもたらされる固定を強固にする。例えば、骨への挿入後、複数の翼部４１２は閉鎖位置に位置する。近位方向の力が作用すると、翼部４１２は開放位置に向かって移動し、周囲の骨に係合し、アンカー４００の近位の収縮を物理的に阻止する。したがって、リブ４１０と翼部４１２との組み合わせは、どちらか単独で使用される際に比べて強化された固定をもたらす。
【００４３】
ここで、上述の縫合糸アンカー２００、２５０、３００および４００のいずれかの実施形態と組み合わせて使用するためのアンカー挿入器５００の実施形態を提示する図５を参照する。挿入器５００は、ハンドル５０２と、概して細長い挿入器シャフト５０４とを含む。挿入器シャフト５０４は、長手方向軸に沿って遠位端５０４Ａと近位端５０４Ｂとの間に延在する。アンカーの実施形態がシャフト５０４の遠位端５０４Ａに取り付けられるとき、挿入器の長手方向軸は、アンカー長手軸とほぼ一致する。挿入器シャフト５０４Ｂの近位端は、挿入器シャフト５０４Ａの遠位端は、後述するように、縫合糸アンカーの実施形態に係合するように適合される。
【００４４】
図６Ａ〜６Ｂを参照すると、挿入器シャフト５０４の遠位端５０４Ａが、それぞれ、実体図および切り欠き図で示されている。挿入器シャフト５０４Ａの遠位端５０４Ａは、シャフト本体６００と、シャフト本体６００を貫通するカニューレ６０２と、を含む。複数の細長い歯部６０４が、挿入器シャフト５０４の遠位端に、貫通開口６０６によって離間してさらに形成されている。以下により詳細に説明するように、複数の歯部６０４は、アンカー本体カニューレを介してアンカー内に受容されるように寸法決めされる。歯部６０４がアンカー本体カニューレ内に挿入される際、歯部６０４はアイレットと交差しない。したがって、歯部６０４は、アンカー本体カニューレ内に挿入されたときに、アイレット（またはそこを通る縫合糸の通過）を妨害しない。図６Ａ〜図６Ｂに示すように、挿入器シャフト５０４は、２つの歯部６０４を含む。しかしながら、別の実施形態では、歯部の数は、必要に応じて変更することができる。歯部６０４の形状は、アンカーと嵌合するように適合され、アイレットを塞ぐことなく、力及びモーメントがアンカー先端部に直接かけられることを可能にする。
【００４５】
図７Ａおよび７Ｂは、アンカー内に配置されたアンカー挿入器５００の遠位端５０４Ａの実施形態の断面図を示す。便宜上、図３のアンカー３００が示されているが、上述したアンカー２００、２５０、３００および４００のいずれかを使用することができることを理解されたい。図７Ａおよび図７Ｂの図は、垂直方向からのものであり、アイレット３１０は図７Ａのページを貫通して延在し、また、アイレット３１０は図７Ｂのページに平行に延在する。アンカー３００は、アンカー本体カニューレ３１６の内面に形成された切り欠き領域６１０Ａ（図７Ｂ）を含む。先端部３０４は、対応する切り欠き領域６１０Ｂ（図７Ａ）を含む。先端シャフト７００がカニューレ３１６内に挿入されると、切り欠き領域６１０Ａ、６１０Ｂは、アンカー本体３０２の近位端３０２Ｂから遠位先端部３０４まで延在する複数のスロット６１２を共に画定する。すなわち、アンカー３００の実施形態では、スロット６１２は、アイレット３１０を超えて遠位先端部３０４まで遠位に延在する。図７Ａおよび図７Ｂに示すように、スロット６１２は、アイレット３１０と交差または衝突することはない。
【００４６】
複数の歯部６０４は、スロット６１２内に受容されるように寸法決めされる。例えば、歯部６０４の断面積は、スロット６１２の断面積とほぼ同じか、またはそれよりも小さい。さらなる実施形態では、歯部６０４の長さは、スロット６１２内に挿入されたときに、歯部６０４がアンカー本体３０２とアンカー先端部３０４との間に延在し、アイレット３１０と交差または妨害しないで先端部３０４の近位端に接触するような寸法にされる。このようにして、挿入器シャフト５０４とアンカー先端部３０４との間の物理的連結のために、挿入器シャフト５０４とアンカー先端部３０４との間に力とモーメントの結合が形成される。その結果、アンカー３００を打つ間に発生する機械的負荷は、挿入器シャフト５０４から先端部３０４に直接伝達され、アンカー３００の比較的弱いプラスチック部分によってもたらされる挿入荷重を低減する。さらに、歯部６０４は、アイレット３１０に近接して周囲方向に、かつ、アイレット３１０から離れた長手方向の範囲を越えて遠位かつ近位に延在する。この配置は、アイレット３１０に対するさらなる機械的補強を有利にもたらす。これらの特徴の組み合わせは、アンカー３００の機械的耐久性を向上させ、はるかに硬いメディアへの、かつ／または、より極端な打ち込み角度での挿入を可能にさせる。
【００４７】
さらなる実施形態では、アンカー３００および挿入器５００は、アンカー３００に対する縫合糸の結び目のない係合を容易にするようにさらに適合される。例えば、挿入器シャフトカニューレ６０２（図６Ｂ）およびアンカ本体カニューレ３１６（図３）の両者は、これらの中に概して細長いプラグ６１６を収容するように寸法決めされる。以下に説明されるように、挿入器５００からアンカー３００へのプラグの送達により、縫合糸がアンカー３００に固定される。アンカー挿入器５００の遠位端５０４Ａ（すなわち、歯部６０４）は、スロット６１２内に挿入される。アンカー挿入器５００が先端部３０４の近位端と接触するまで、アンカー挿入器５００がスロット６１２内で遠位に進められる。縫合糸がアイレット３１０を通ってさらに送られ、アイレット３１０から延在する自由縫合糸肢が近位に張力をかけられ、複数のチャネル３１４無いに配置される。
【００４８】
プラグ６１６は、縫合糸をアンカーに固定するために、挿入器シャフトカニューレ６０２からアンカー本体カニューレ３１６に遠位に進められる。例えば、プラグ６１６の遠位端は遠位に進められて縫合糸と接触する。プラグ６１６のさらなる遠位への前進は、プラグ６１６の遠位端および縫合糸を先端シャフトカニューレ７００に促す。縫合糸は、先端部３０４の近位端とプラグ６１６の遠位端との間の圧縮によってアンカーに固定される。有益には、プラグ６１６を先端シャフトカニューレ７００内に配置することより、アンカー本体カニューレ３１６は、歯部６０４およびアンカー本体３０２の両方への軸方向および側方向の支持がさらにもたらされる。
【００４９】
アンカー３００が挿入器５００に取り付けられた後、アンカー３００は、骨に対して所望の挿入箇所に位置決めされ、挿入器５００に骨に向かって軸方向の力を加えることによって骨の中に挿入される。軸方向の力は手動で（例えば、手で、またはハンマーなどの工具を使用して）または機械的機構で（例えば、当技術分野で理解されているようにバネ負荷式または電動式衝撃装置など）挿入器５００にかけられる。挿入器５００にかけられる軸方向の力は、主に歯部６０４を介して先端部３０４にアンカー３００に伝達される。ある実施形態では、歯部に近位のシャフト本体６００の少なくとも一部分は、アンカー本体カニューレ３１６の直径より大きい直径を有し、アンカー本体３０２の近位端と接触する。したがって、アンカー器具５００にかけられた軸方向の力の少部分は、アンカー本体３０２の近位端に対して遠位に、歯部６０４に近位のシャフト本体６００の衝突を介してアンカー３００に伝達される。
【００５０】
軸方向の力は、アンカー３００の長さの少なくとも一部を骨に押し込むように作用する。アンカー３００への軸方向の力の適用は、アンカー３００の全長が骨内に挿入されるまで続けられる。同時に、縫合糸のアイレット３１０およびチャネル３１４内に配置された部分は、アンカー３００によって骨に引き込まれる。縫合糸は、プラグ６１６と、周囲の骨によるアンカー３００に対する縫合糸肢の圧縮から生じる摩擦摺動抵抗と、の両方によってアンカー３００に対して所定位置に拘束される。残りの縫合糸肢は、アンカー本体３０２から近位に延在し、所望の再建手術のために必要に応じて外科医によって操作される。図８は、アンカー３００内に挿入されたアンカー挿入器５００を切り欠きの近位端面図で示す。
【００５１】
ここで、アンカー本体３０２とは別に形成された、先端部３０４とアンカー本体３０２との間に回転ロック機構を備えた、図３に示すアンカー３００のようなアンカーの実施形態を示す図９Ａおよび９Ｂを参照する。この実施形態は、アンカー本体３０２および先端部３０４それぞれが、縫合糸が貫通することを可能にするように互いに回転的に整列される必要があるアイレットを含む場合に有用である。図９Ａおよび図９Ｂに示す実施形態は、アイレット（図示せず）を備えた金属インプラントの先端部３０４と、アイレット（図示せず）を備えたポリマーアンカー本体３０２とを含む。アンカー本体３０２は、先端部３０４に突出した雄型特徴部を受け入れるための雌ソケット形状を含む。アンカー本体３０２および先端部３０４の両方は、アンカー本体３０２および先端部３０４を互いに回転的にロックするように働く嵌合突起３２０を含み、これにより、アイレットを互い対して整列させる。回転式に固定されているが、アンカー本体３０２および先端部３０４は、互いに対して並進的に摺動することができ、有利に組み立てを容易にする。図９Ａは、先端部３０４とアンカー本体３０２との間の界面を示すアンカー３００の断面図である。図９Ａから分かるように、突起３２０は、先端部３０４をアンカー本体３０２に対して回転的にロックするが、並進運動を可能にする。図９Ｂは、突起３２０の１つが見える状態のアンカー本体３０２の近位端からの断面図である。先端部３０４およびアンカー本体３０２は、アイレットを通過した縫合糸（図示せず）によって生体内の際に並進的に連結される。この開示によって、２つよりも少ない、または、３つ以上の突起３２０を使用し得ると考えられる。平坦以外の形状（凹状、凸状など）も使用し得る。突起３２０は、アンカー本体３０２の全長までの任意の長さに延在し得る。
【００５２】
ここで、図１０Ａ〜図１０Ｄを参照すると、縫合糸をアイレットに通すための縫合糸スレッダーとして機能することができ、かつ、有利には、アンカーと挿入器との間に回転防止機能を含む、プラスチックまたは金属で作られたタブのような装置８０２を備える縫合糸スレッダーアセンブリ８００の実施形態が示されている。この回転は、出荷中および取り扱い中の振動、または操作中に誤って加えられた力の結果で生じ得る。このような回転は、縫合糸スレッダーアセンブリ８００の結果として得られる剛性を減少させ、アンカー挿入中に不具合を引き起こす可能性がある。
【００５３】
図１０Ａおよび図１０Ｂに示すように、縫合糸スレッダーアセンブリ８００は、側方に遠位なアイレット３１０を有するアンカー本体３０２を有する、図３に示すアンカー３００などのアンカーを含む。縫合糸スレッダーアセンブリ８００はまた、アンカー本体内に部分的に配置される、図５に示される挿入器５００等の挿入器を含む。装置８０２は、アイレット３１０を通って延在する、プラスチック、金属、ステンレス鋼、ニチノールまたは他の適切な材料から成る供給ワイヤ８０４を含む。装置８０２はまた、アンカー本体３０２の外側に延在する挿入器５００の一部にスナップするように構成された溝またはフィンガー８０６を含む。図１０Ｃに示すように、溝８０６と挿入器５００との間の界面の断面は、溝８０６が挿入器５００の所定の位置にスナップ嵌めできるように、溝８０６の内部形状が挿入器５００の外形に一致する（六角形の幾何学的形状として示される）。この特定の構成は、アンカー本体３０２と挿入器５００との間の回転運動をいずれかの方向に制限する。図１０Ｄに示すように、溝８０６は、装置８０２が３０度ごとに定位置にラチェットすることを可能にする第２の六角形のカットを有する。この３０度のオフセットにより、アンカー本体３０２は、更なる運動に抵抗がかかる前にいずれかの方向に１５度だけ回転することが可能になる。この開示により、２つ以上の六角形のカットが、挿入器５００に対する装置８０２の増分運動を減少させることができることが企図されている。アイレットを通って突出する特徴部がさらに動作を制限することが本願によってさらに企図される。クリアランスに応じて、この特徴部が動きを完全に制限する可能性がある。この開示によって、縫合糸スレッダーアセンブリ８００の縫合糸を通す能力および回転防止能力が、別個の装置、例えば、溝８０２と挿入器５００との間の境界面と同様に、供給ワイヤ８０４とアンカー本体３０２との間の界面で同様の形状を利用する小さなクリップによって提供されることがさらに企図される。
【００５４】
当業者であれば、本発明の精神または本質的な特徴から逸脱することなく、本発明を他の特定の形態で具体化できることを理解するであろう。従って、前述の実施形態は、本明細書に記載された本発明を限定するのではなく例示的なものであるとみなされるべきである。従って、本発明の範囲は、上記の説明ではなく添付の特許請求の範囲によって示され、特許請求の範囲の均等物の意味および範囲内に入るすべての変更は、その中に包含されることが意図される。
【符号の説明】
【００５５】
１００  縫合糸アンカー
１０２  周方向リブ
１０４  骨
１０６  空隙
１１０  接触点
２００  縫合糸アンカー
２０２  アンカー本体
２０４  長手方向軸
２０６  遠位アンカー本体部分
２０８  近位アンカー本体部分
２１０  長手方向リブ
２１２  周方向リブ
２１４  アイレット
２１６  チャネル
２５０  縫合糸アンカー
２５２  鋸歯
３００  縫合糸アンカー
３０２  アンカー本体
３０４  アンカー先端部
３０６  長手方向軸
３１０  アイレット
３１２  リブ
３１４  チャネル
３１６  カニューレ
３２０  突起
４００  縫合糸アンカー
４０２  アンカー本体
４０４  長手方向軸
４０６  テーパー部
４１０  長手方向リブ
４１２  翼部
４１４  アイレット
４１６  チャネル
５００  挿入器
５０２  ハンドル
５０４  シャフト
６００  シャフト本体
６０２  カニューレ
６０４  歯部
６０６  貫通開口
６１０  領域
６１２  スロット
６１６  プラグ
７００  先端シャフトカニューレ
８００  縫合糸スレッダーアセンブリ
８０２  溝、フィンガー
８０４  供給ワイヤ
８０６  溝、フィンガー
【図１Ａ】
2017536943.tif 000003
【図１Ｂ】
2017536943.tif 000004
【図２Ａ】
2017536943.tif 000005
【図２Ｂ】
2017536943.tif 000006
【図３】
2017536943.tif 000007
【図４】
2017536943.tif 000008
【図５】
2017536943.tif 000009
【図６Ａ】
2017536943.tif 000010
【図６Ｂ】
2017536943.tif 000011
【図７Ａ】
2017536943.tif 000012
【図７Ｂ】
2017536943.tif 000013
【図８】
2017536943.tif 000014
【図９Ａ】
2017536943.tif 000015
【図９Ｂ】
2017536943.tif 000016
【図１０Ａ】
2017536943.tif 000017
【図１０Ｂ】
2017536943.tif 000018
【図１０Ｃ】
2017536943.tif 000019
【図１０Ｄ】
2017536943.tif 000020
【国際調査報告】
2017536943.tif 000021
2017536943.tif 000022
2017536943.tif 000023
2017536943.tif 000024
2017536943.tif 000025